(57)【要約】【課題】 硬質床上における立ち作業が長時間続いても、着用者の足Ｆや腰等に疲労がたまり難くなるようにする。【解決手段】  靴底３に外皮５が設けられ、外皮５が足Ｆの爪先部Ｆａを包容可能な甲皮部５ａ及び足Ｆの踵部Ｆｂを包容可能な側皮部５ｂを有し、靴底３の表面に靴中敷７が取外し可能に敷設されたこと。【選択図】図１
2007283016.tif 000002
【特許請求の範囲】
【請求項１】
屋内で着用されるルームシューズにおいて、
靴底と、
前記靴底に設けられ、足の爪先部を包容可能な甲皮部及び足の踵部を包容可能な側皮部を有した外皮と、
前記靴底の表面に取外し可能に敷設された靴中敷と、
を備えたことを特徴とするルームシューズ。
【請求項２】
前記靴中敷における中敷本体が低反発フォームにより構成されていることを特徴とする請求項１に記載のルームシューズ。
【請求項３】
前記中敷本体の内縁側に足の骨格の内側縦アーチを保持する凸曲面状の第１本体隆起部が形成され、前記中敷本体の外縁側に足の骨格の外側縦アーチを保持する凸曲面状の第２本体隆起部が形成され、前記中敷本体の中央側に足の骨格の横アーチを保持する凸曲面状の第３本体隆起部が形成されていることを特徴とする請求項２に記載のルームシューズ。
【請求項４】
前記中敷本体の裏面に前記中敷本体を補強する補強部材が設けられ、前記補強部材が低反発フォームに比べて高硬度のスポンジにより構成されていることを特徴とする請求項２又は請求項３に記載のルームシューズ。
【請求項５】
前記補強部材における前記第１本体隆起部に整合した箇所に前記第１本体隆起部を補強する凸曲面状の第１補強隆起部が縦方向に形成され、前記補強部材における前記第２本体隆起部に整合した箇所に前記第２本体隆起部を補強する凸曲面状の第２補強隆起部が縦方向に形成され、前記補強部材における前記第３本体隆起部に整合した箇所に前記第３本体隆起部を補強する凸曲面状の第３補強隆起部が横方向に形成されていることを特徴とする請求項４に記載のルームシューズ。
【請求項６】
前記補強部材が前記中敷本体の中央側から末端側にかけてのみ設けられていることを特徴とする請求項４又は請求項５に記載のルームシューズ。
【請求項７】
低反発フォームにより構成された低反発シート及びスポンジにより構成されたスポンジシートを重ね合わせた状態の下で金型装置にセットし、前記金型装置によってホットプレスを行うことにより、低反発シートから前記中敷本体、前記スポンジシートから前記補強部材がそれぞれ成型されると共に、前記中敷本体と前記補強部材が一体的に接合されるようになっていることを特徴とする請求項４から請求項６のうちのいずれかの請求項に記載のルームシューズ。
【請求項８】
前記中敷本体の表面に設けられ、タオル生地により構成された表層と、
を備えたことを特徴とする請求項２から請求項７のうちのいずれかの請求項に記載のルームシューズ。
【発明の詳細な説明】
【技術分野】
【０００１】
本発明は、屋内で着用されるルームシューズに関する。
【背景技術】
【０００２】
屋内履物の代表的なものとしてスリッパとルームシューズがあり、近年、スリッパよりも足から抜け難いルームシューズの需要が高まっている。そして、ルームシューズの先行技術としては特許文献１及び特許文献２に示すものがあり、この先行技術について簡単に説明すると、次のようになる。
【０００３】
即ち、先行技術に係るルームシューズは、靴底をベースとしており、この靴底は、芯材部と、この芯材部を被覆する被覆部とを備えている。また、靴底には、外皮が縫製によって設けられており、この外皮は、布生地により構成されている。更に、外皮は、足の爪先部を包容可能な甲皮部、及び足の踵部を包容可能な側皮部を有している。
【特許文献１】特開平１０−５００２号公報
【特許文献２】実用新案登録公報第３０３８３７号公報
【発明の開示】
【発明が解決しようとする課題】
【０００４】
ところで、近年、マンション、一戸建て等の建造物においてフローリング床等の硬質床が広く普及しており、ルームシューズを着用した着用者が硬質床上で家事等の立ち作業を行う際に、着用者の足や腰等が硬質床から大きな衝撃力を受けることになる。そのため、硬質床上における立ち作業が長時間続くと、足や腰等に疲労がたまり易くなるという問題がある。
【０００５】
そこで、本発明は、前述の問題を解決するため、ルームシューズを着用した着用者が立ち作業を行う際に、着用者の足や腰等が硬質床から受ける衝撃力を十分に緩和できる、新規な構成のルームシューズを提供することを目的とする。
【課題を解決するための手段】
【０００６】
本発明の第１の特徴（請求項１に記載の発明の特徴）は、屋内で着用されるルームシューズにおいて、
靴底と、
前記靴底に設けられ、足の爪先部を包容可能な甲皮部及び足の踵部を包容可能な側皮部を有した外皮と、
前記靴底の表面に取外し可能に敷設された靴中敷と、
を備えたことである。
【０００７】
第１の特徴によると、前記靴底の表面に前記靴中敷が取外し可能に敷設されているため、前記ルームシューズを着用した着用者が硬質床に立った状態で家事等を行う際に、着用者の足や腰等が硬質床から受ける衝撃力を十分に緩和できる。
【０００８】
本発明の第２の特徴（請求項２に記載の発明の特徴）は、第１の特徴に加えて、前記靴中敷における中敷本体が低反発フォームにより構成されていることである。 
第２の特徴によると、前記靴中敷における前記中敷本体が低反発フォームにより構成されているため、前記靴中敷が不定形な足裏部の形状に適合するように変形しつつ、前記靴中敷の適度の反発力によって足の足裏部を安定した状態で支持することができる。
【０００９】
本発明の第３の特徴（請求項３に記載の発明の特徴）は、第２の特徴に加えて、前記中敷本体の内縁側に足の骨格の内側縦アーチを保持する凸曲面状の第１本体隆起部が形成され、前記中敷本体の外縁側に足の骨格の外側縦アーチを保持する凸曲面状の第２本体隆起部が形成され、前記中敷本体の中央側に足の骨格の横アーチを保持する凸曲面状の第３本体隆起部が形成されていることである。
【００１０】
第３の特徴によると、前記中敷本体の内縁側に前記内側縦アーチを保持する凸曲面状の前記第１本体隆起部が形成され、前記中敷本体の外縁側に前記外側縦アーチを保持する凸曲面状の前記第２本体隆起部が形成され、前記中敷本体の中央側に前記横アーチを保持する凸曲面状の前記第３本体隆起部が形成されているため、足の骨格における３つのアーチ（前記内側縦アーチ、前記外側縦アーチ、及び前記横アーチ）を保持することができる。
【００１１】
本発明の第４の特徴（請求項４に記載の発明の特徴）は、第２の特徴又は第３の特徴に加えて、前記中敷本体の裏面に前記中敷本体を補強する補強部材が設けられ、前記補強部材が低反発フォームに比べて高硬度のスポンジにより構成されていることである。
【００１２】
第４の特徴によると、前記中敷本体の裏面に高硬度のスポンジにより構成された補強部材が設けられているため、前記第１本体隆起部、前記第２本体隆起部、及び前記第３本体隆起部による保持力を十分に高めることができる。
【００１３】
本発明の第５の特徴（請求項５に記載の発明の特徴）は、第４の特徴に加えて、前記補強部材における前記第１本体隆起部に整合した箇所に前記第１本体隆起部を補強する凸曲面状の第１補強隆起部が縦方向に形成され、前記補強部材における前記第２本体隆起部に整合した箇所に前記第２本体隆起部を補強する凸曲面状の第２補強隆起部が縦方向に形成され、前記補強部材における前記第３本体隆起部に整合した箇所に前記第３本体隆起部を補強する凸曲面状の第３補強隆起部が横方向に形成されていることである。
【００１４】
本発明の第６の特徴（請求項６に記載の発明の特徴）は、第４の特徴又は第５の特徴に加えて、前記補強部材が前記中敷本体の中央側から末端側にかけてのみ設けられていることである。
【００１５】
第６の特徴によると、前記補強部材が前記中敷本体の中央側から末端側にかけてのみ設けられているため、換言すれば、前記中敷本体の先端側において前記補強部材が存在しないため、前記靴中敷の適度の反発力によって足の指をより安定した状態で支持することができる。
【００１６】
本発明の第７の特徴（請求項７に記載の発明の特徴）は、第４の特徴から第６の特徴のうちのいずれかの特徴に加えて、低反発フォームにより構成された低反発シート及びスポンジにより構成されたスポンジシートを重ね合わせた状態の下で金型装置にセットし、前記金型装置によってホットプレスを行うことにより、低反発シートから前記中敷本体、前記スポンジシートから前記補強部材がそれぞれ成型されると共に、前記中敷本体と前記補強部材が一体的に接合されるようになっていることである。
【００１７】
本発明の第８の特徴（請求項８に記載の発明の特徴）は、第２の特徴から第７の特徴のうちのいずれかの特徴に加えて、前記中敷本体の表面に設けられ、タオル生地により構成された表層と、
を備えたことである。
【発明の効果】
【００１８】
請求項１から請求項８のうちのいずれかの請求項に記載の発明によれば、前記ルームシューズを着用した着用者が立ち作業を行う際に、着用者の足や腰等が硬質床から受ける衝撃力を十分に緩和できるため、硬質床上における立ち作業が長時間続いても、着用者の足や腰等に疲労がたまり難くなる。
【００１９】
請求項２から請求項８のうちのいずれかの請求項に記載の発明によれば、前記靴中敷が不定形な足裏部の形状に適合するように変形しつつ、前記靴中敷の適度の反発力によって足の足裏部を安定した状態で支持するため、屋内においても足の骨格を矯正することができる。特に、請求項３から請求項８のうちのいずれかの請求項に記載の発明によれば、足の骨格における３つのアーチを保持することができるため、前記靴中敷による足の骨格の矯正機能を効果的に発揮させることができる。
【００２０】
請求項６から請求項８のうちのいずれかの請求項に記載の発明によれば、前記靴中敷の適度の反発力によって足の指をより安定した状態で支持することができるため、足から接地面への歩行推進力の伝達効率を向上させることができる。
【発明を実施するための最良の形態】
【００２１】
本発明の実施形態について図１から図６を参照して説明する。
【００２２】
ここで、図１は、本発明の実施形態に係るルームシューズの分解斜視図、図２は、本発明の実施形態に係るルームシューズを履いた状態を示す斜視図、図３（ａ）は、本発明の実施形態に係る靴中敷の平面図、図３（ｂ）は、図３（ａ）におけるIIIB-IIIB線に沿った図、図４（ａ）は、図３（ａ）におけるIVA-VIA線に沿った図、図４（ｂ）は、図３（ａ）におけるIVB-IVBに沿った図、図５は、本発明の実施形態に係る靴中敷の下面図、図６は、本発明の実施形態に係る中敷本体及び補強部材の成型態様を示す図である。
【００２３】
図１及び図２に示すように、本発明の実施形態に係るルームシューズ（ルーム靴）１は、屋内で着用される靴であって、靴底３をベースとしている。また、靴底３は、芯材部（図示省略）と、この芯材部を被覆しかつ布生地により構成された被覆部３ａとを備えている。
【００２４】
靴底３には、外皮５が縫製によって設けられており、この外皮５は、布生地により構成されている。また、外皮５は、足Ｆの爪先部Ｆａを包容可能な甲皮部５ａ、及び足Ｆの踵部Ｆｂを包容可能な側皮部５ｂを有している。また、靴底３の裏面には、滑り止めシート（図示省略）が縫製によって設けられており、この滑り止めシートは、合成皮により構成されている。
【００２５】
靴底３の表面には、靴中敷７が取外し可能に敷設されており、この靴中敷７の具体的な構成は、次のようになる。
【００２６】
即ち、図１、図３（ａ）（ｂ）、及び図４（ａ）（ｂ）に示すように、靴中敷７は、中敷本体９を備えており、この中敷本体９は、低反発ウレタンフォームにより構成されている。また、中敷本体９の内縁側には、足Ｆの骨格の内側縦アーチＡａを保持する凸曲面状の第１本体隆起部９ａ（図１及び図３（ａ）において仮想線で示す部分の周辺を含む）が縦方向（靴中敷７の長さ方向、図３（ａ）（ｂ）において上下方向、図４（ａ）（ｂ）において紙面に向かって表裏方向）に延びるように形成されており、中敷本体９の外縁側には、足Ｆの骨格の外側縦アーチＡｂを保持する凸曲面状の第２本体隆起部９ｂ（図１及び図３（ａ）において仮想線で示す部分の周辺を含む）が縦方向に延びるように形成されている。更に、中敷本体９の中央側には、足Ｆの骨格の横アーチＡｃを保持する凸曲面状の第３本体隆起部９ｃ（図１及び図３（ａ）において仮想線で示す部分の周辺を含む）が横方向（靴中敷７の幅方向、図３（ａ）及び図４（ａ）（ｂ）において左右方向、図３（ｂ）において紙面に向かって表裏方向）に延びるように形成されている。ここで、第１本体隆起部９ａは、内側縦アーチＡａに近似した形状を呈してあって、第２本体隆起部９ｂは、外側縦アーチＡｂに近似した形状を呈してあって、第３本体隆起部９ｃは、横アーチＡｃに近似した形状を呈している。
【００２７】
図３（ｂ）、図４（ａ）（ｂ）、及び図５に示すように、中敷本体９の裏面における中央側から末端側にかけてのみ、中敷本体９を補強する補強部材１１が設けられており、この補強部材１１は、低反発ウレタンフォームに比べて高硬度のゴムスポンジにより構成されている。また、補強部材１１における第１本体隆起部９ａに整合した箇所には、第１本体隆起部９ａを補強する凸曲面状の第１補強隆起部１１ａが縦方向に形成されており、補強部材１１における第２本体隆起部９ｂに整合した箇所には、第２本体隆起部９ｂを補強する凸曲面状の第２補強隆起部１１ｂが縦方向に形成されている。更に、補強部材１１における第３本体隆起部９ｃに整合した箇所には、第３本体隆起部９ｃを補強する凸曲面状の第３補強隆起部１１ｃが横方向に形成されている。
【００２８】
そして、靴中敷７は、図６（ａ）に示すように、低反発フォームからなる低反発シート９’及びスポンジからなるスポンジシート１１’を重ね合わせた状態の下で金型装置１３にセットし、図６（ｂ）に示すように、金型装置１３によってホットプレスを行うことにより、低反発シート９’から中敷本体９、スポンジシート１１’から補強部材１１がそれぞれ成型されると共に、中敷本体９と補強部材１１が接合されるようになっている。ここで、金型装置１３は、上下（図６（ａ）（ｂ）において上下）に対向した上部金型１５と下部金型１７を備えており、上部金型１５の下側には、中敷本体９の表面形状に対応した形状の成型部１５ａが形成されており、下部金型１７の上側には、低反発シート９’及びスポンジシート１１’を重ね合わせた状態の下でセットするセット凹部１７ａが形成されている。
【００２９】
図３（ｂ）及び図４（ａ）（ｂ）に示すように、中敷本体９の表面には、表層１９が縫製によって設けられており、この表層１９は、タオル生地により構成されている。
【００３０】
続いて、本発明の実施形態の作用及び効果について説明する。
【００３１】
靴底３の表面に靴中敷７が取外し可能に敷設されているため、ルームシューズ１を着用した着用者が硬質床（例えば、フローリング床等）に立った状態で家事等を行う際に、着用者の足や腰等が硬質床から受ける衝撃力を十分に緩和できる。
【００３２】
また、靴中敷７における中敷本体９が低反発ウレタンフォームにより構成されているため、靴中敷７が不定形な足裏部の形状に適合するように変形しつつ、靴中敷７の適度の反発力によって足の足裏部を安定した状態で支持することができる。特に、補強部材１１が中敷本体９の中央側から末端側にかけてのみ設けられているため、換言すれば、中敷本体９の先端側において補強部材１１が存在しないため、靴中敷７の適度の反発力によって足の指をより安定した状態で支持することができる。
【００３３】
更に、中敷本体９の内縁側に内側縦アーチＡａを保持する凸曲面状の第１本体隆起部９ａが形成され、中敷本体９の外縁側に外側縦アーチＡｂを保持する凸曲面状の第２本体隆起部９ｂが形成され、中敷本体９の中央側に横アーチＡｃを保持する凸曲面状の第３本体隆起部９ｃが形成されているため、足Ｆの骨格における３つのアーチ（内側縦アーチＡａ、外側縦アーチＡｂ、及び横アーチＡｃ）を保持することができる。特に、中敷本体９の裏面に高硬度のゴムスポンジにより構成された補強部材１１が設けられているため、第１本体隆起部９ａ、第２本体隆起部９ｂ、及び第３本体隆起部９ｃによる保持力を十分に高めることができる。
【００３４】
以上の如き、本発明の実施形態によれば、ルームシューズ１を着用した着用者が立ち作業を行う際に、着用者の足Ｆや腰等が硬質床から受ける衝撃力を十分に緩和できるため、硬質床上における立ち作業が長時間続いても、着用者の足Ｆや腰等に疲労がたまり難くなる。
【００３５】
また、靴中敷７が不定形な足裏部の形状に適合するように変形しつつ、靴中敷７の適度の反発力によって足の足裏部を安定した状態で支持するため、屋内においても足Ｆの骨格を矯正することができる。特に、足Ｆの骨格における３つのアーチＡａ、Ａｂ、Ａｃを保持することができるため、靴中敷７による足の骨格の矯正機能を効果的に発揮させることができる。
【００３６】
更に、靴中敷７の適度の反発力によって足Ｆの指をより安定した状態で支持するため、足Ｆから接地面への歩行推進力の伝達効率を向上させることができる。
【００３７】
なお、本発明は、前述の実施形態の説明に限られるものではなく、その他、種々の態様で実施可能である。また、本発明に包含される権利範囲は、これらの実施形態に限定されないものである。
【図面の簡単な説明】
【００３８】
【図１】本発明の実施形態に係るルームシューズの分解斜視図である。
【図２】本発明の実施形態に係るルームシューズを履いた状態を示す斜視図である。
【図３】図３（ａ）は、本発明の実施形態に係る靴中敷の平面図、図３（ｂ）は、図３（ａ）におけるIIIB-IIIB線に沿った図でである。
【図４】図４（ａ）は、図３（ａ）におけるIVA-VIA線に沿った図、図４（ｂ）は、図３（ａ）におけるIVB-IVBに沿った図である。
【図５】本発明の実施形態に係る靴中敷の下面図である。
【図６】本発明の実施形態に係る中敷本体及び補強部材の成型態様を示す図である。
【符号の説明】
【００３９】
Ｆ          足
Ｆａ        爪先部
Ｆｂ        踵部
Ａａ        内側縦アーチ
Ａｂ        外側縦アーチ
Ａｃ        横アーチ
１          ルームシューズ
３          靴底
５          外皮
５ａ        甲皮部
５ｂ        側皮部
７          靴中敷
９          中敷本体
９ａ        第１本体隆起部
９ｂ        第２本体隆起部
９ｃ        第３本体隆起部
９’        低反発シート
１１          補強部材
１１ａ        第１補強隆起部
１１ｂ        第２補強隆起部
１１ｃ        第３補強隆起部
１１’        スポンジシート
１３          金型装置
１９          表層
【図１】
2007283016.tif 000003
【図２】
2007283016.tif 000004
【図３】
2007283016.tif 000005
【図４】
2007283016.tif 000006
【図５】
2007283016.tif 000007
【図６】
2007283016.tif 000008